(57)【要約】【課題】  より十分な取り出し口の確保ができる包装容器を提供する。【解決手段】  包装容器１は、連設面１５を介してその両端側に連設された上面１８、底面１２とを構成面として備える容器部４が含まれる。前記連設面１５に折り曲げ可能構造として折り目ｐを有し、前記連設面１５を折り曲げることにより、前記上面１８を含む上面部４ｂと前記底面１２を含む底面部４ａとに前記容器部４が解体可能とされる。【選択図】  図４
2007008572.tif 000002
【特許請求の範囲】
【請求項１】
連設面を介してその両端側に連設された上面、底面を構成面として備える容器部が含まれる包装容器であって、
前記連設面に折り曲げ可能構造を有し、
前記連設面を折り曲げることにより、前記上面を含む上面部と前記底面を含む底面部とに前記容器部が解体可能な包装容器。
【請求項２】
請求項１に記載の包装容器であって、
前記上面部は、前記上面に加えて前記上面に連設される上面連設側面を含む包装容器。
【請求項３】
請求項１または２に記載の包装容器であって、
前記底面部は、前記底面に加えて前記底面に連設される底面連設側面を含む包装容器。
【請求項４】
請求項１から３のいずれか１つに記載の包装容器であって、
前記上面部と前記底面部とのうち少なくとも一方は連設側面を両端側に備えた包装容器。
【発明の詳細な説明】
【技術分野】
【０００１】
本発明は、包装容器、特に連設面を介してその両端側に連設された上面、底面とを構成面として備える容器部が含まれる包装容器に関する。
【背景技術】
【０００２】
菓子などの内容物がその容器部に包含される包装容器、例えば紙製包装容器が知られている。紙製包装容器には、様々なものがあるが、例えば、下記特許文献１〜３に挙げられるように、一枚の紙から折り目に沿って組み立てられる直方体形状の紙箱からなるものが挙げられる。
【０００３】
組み立てられる直方体形状の紙箱からなる紙製包装容器には、その一面が紙２面を両端面を嵌合させるようにして封をし、直方体形状の紙製包装容器を形成させるものが知られている。
【０００４】
消費者は、菓子などの内容物を取り出したいときには、この嵌合構造を解除して封を開け、紙製包装容器の内部に収容された菓子などの内容物を取り出すことができる。
【特許文献１】特開２００１−２０５６号公報
【特許文献２】特開２０００−２７２６１８号公報
【特許文献３】特開２００３−１７０９２９号公報
【発明の開示】
【発明が解決しようとする課題】
【０００５】
しかしながら、内部の菓子などの内容物を取り出す際に、消費者は紙製包装容器の通常の取り出し口以外から取り出したい場合がある。例えば、複数の人数で菓子を食したい場合などには、上記特許文献に記載されるように通常の取り出し口を設けただけでは、不十分である場合が多い。そこで取り出し口を広げる場合に、紙製包装容器の一面を解体することで解体した一面を新たな取り出し口として補充することも考えられるが、それでも取り出し口の広さとして十分でないこともある。
【０００６】
本発明は、上記課題に鑑みてなされたものであり、より十分な取り出し口の確保ができる新たな構造の包装容器を提供することを主な目的とする。
【課題を解決するための手段】
【０００７】
本発明は、連設面を介してその両端側に連設された上面、底面とを構成面として備える容器部が含まれる包装容器であって、前記連設面に折り曲げ可能構造を有し、前記連設面を折り曲げることにより、前記上面を含む上面部と前記底面を含む底面部とに前記容器部が解体可能なことを特徴とする。
【０００８】
前記上面部は、前記上面に加えて前記上面に連設される上面連設側面を含むと好適である。
【０００９】
前記底面部は、前記底面に加えて前記底面に連設される底面連設側面を含むと好適である。
【００１０】
前記上面部と前記底面部とのうち少なくとも一方は連設側面を両端側に備えると好適である。
【発明の効果】
【００１１】
本発明によれば、より十分な取り出し口の確保ができる新たな構造の包装容器を提供できる。
【発明を実施するための最良の形態】
【００１２】
以下、本発明の実施の形態を図面に基づいて説明する。なお、本実施形態については、本発明を実施するための一形態に過ぎず、本発明は本実施形態によって限定されるものではない。
【００１３】
「紙製包装容器」
図１は、本実施形態として包装容器の一種たる紙製包装容器１が示される。図３に示されるように、紙製包装容器１は、六面体であって略直方体の形状を有し、その内部に内容物として表面を包装された菓子３３を有している。紙製包装容器１は、菓子３３が収容される容器部４と、収容部４を蓋する蓋部２とから構成されている。
【００１４】
容器部４は、主として、底面板１２、底面側面板１１、底面側面板１１の対面となる底面側面板１３からなる容器下部４ａと、容器上面板１８、容器側面板１９、容器側面板１９の対面となる容器側面板２０、とからなる容器上部４ｂの二部から構成されている。
【００１５】
容器下部４ａと容器上部４ｂはその両端側に底面板１２および容器上面板１８に連設された連設板１５を共有している。連設板１５は、紙製包装容器１について蓋部２を上部として直立させた場合に、底面となる。
【００１６】
連設板１５は、連設板１５のうち底面側の底面側連設板１５ａ、上面側の上面側連設板１５ｂとに折り目ｐを介して分けられている。折り目はミシン目または半切れで構成されている。以下同様である。底面側連設板１５ａは、容器下部４ａの側面として主として属し、上面側連設板１５ｂは容器上部４ｂの側面として主として属している。
【００１７】
図６には、図１の紙製包装容器１のＹ−Ｙ’断面図が示される。図６に示されるように容器部４は、容器下部４ａの底面側面板１１、底面側面板１３の外周面にそれぞれ、容器上部４ｂの容器側面板１９、容器側面板１９の内周面が重なることで構成されている。
【００１８】
蓋部２は、主として、蓋上面板２５、蓋側面板２６、蓋側面板２６の対面となる蓋側面板２７、紙製包装容器１を立てた場合の頭部面となる蓋側面板１４とから構成されている。
【００１９】
紙製包装容器１は、上面の一面が容器部４の容器上面板１８と蓋部２の蓋上面板２５の２面の蓋上面板２５の一部が上面となるように重なることによって構成されている。容器部４と蓋部２とは、嵌合構造をとることで固定させられている。
【００２０】
嵌合構造とは、容器上面板１８に設けられた嵌合溝２１と蓋上面板２５の先端部２２とが嵌合してなる構造である。先端部２２が嵌合溝２１に挿入され、図６に示されるように先端部２２が容器上面板１８の下面となることで嵌合される。
【００２１】
図３に示されるように、図１に示される紙製包装容器１について、前記嵌合構造を解除することで蓋部２が開かれて、消費者は容器部４内部の菓子を取り出すことができる。取り出した後は、再び蓋部２を閉めて、容器部４との上述の嵌合構造に戻すことで図１に示される紙製包装容器１の蓋された状態とすることができる。
【００２２】
「展開図」
紙製包装容器１は、図２に示される展開図の状態で、その外寸などが設計されている。図２に示される紙製包装容器１の展開図は、コートボール、チップボール、段ボールなどの紙を図２に示す展開図にしたがって打ち抜いたものである。紙製包装容器１は、図２の展開図の打ち抜き紙を折り目に沿って折り込み、所定部分を接着して組み立てられる。（以下、展開図において、紙面に開示されている方向を紙面側、その裏面を反対面側とする）。
【００２３】
底面側面板１１の下端縁に底面板１２および底面側面板１３が折り目ａ，ｂを介して順に連設される。
【００２４】
底面板１２の右端縁に容器側面板１５、容器上面板１８が折り目ｄ，ｅを介して順に連設される。容器側面板１５の上端縁には糊代１６および下端縁には糊代１７がそれぞれ折り目ｆ，ｇを介して連設される。
【００２５】
容器上面板１８の上端縁には容器側面板１９および下端縁には容器側面板２０がそれぞれ折り目ｈ，ｉを介して連設される。容器上面板１８には、右端縁付近に嵌合溝２１が形成されている。嵌合溝２１は、反対面側まで貫通した構造を有し、蓋上面板２５の先端部２２が挿入されることに対して十分な幅と大きさに設計されている。
【００２６】
容器側面板１５には、折り目ｐが形成されている。折り目ｐは、紙製包装容器１を組み立てられる際には、折られることがなく、後述のように消費者の使用時に折られる場合がある折り目である。容器側面板１５は、折り目ｐを境界線として左右に面積・形状を二分する底面連設面１５ａ、上面連設板１５ｂとに分けられる。
【００２７】
糊代１６および１７は、後述の反対面側のみに接着剤が塗布される糊代１６ａ、１７ａ、後述の紙面側と反対面側の両面に接着剤が塗布される糊代１６ｂ、１７ｂとに切り溝が設けられて横方向に分離されている。
【００２８】
底面板１２の左端縁に蓋側面板１４、蓋上面板２５が折り目ｃ，ｌを介して順に連設される。蓋側面板１４の上端縁には糊代２３および下端縁には糊代２４がそれぞれ折り目ｊ，ｋを介して連設される。蓋上面板２５の上端縁には蓋側面板２６および下端縁には蓋側面板２７がそれぞれ折り目ｍ，ｎを介して連設される。
【００２９】
図２の展開図において、右端縁側から、容器上面板１８、容器側面板１５、底面板１２、蓋上面板２５が折り目ｅ、ｄ、ｃ、ｌの順に連設されているのに対し、これら板の上端縁と下端縁に連設される板同士は、横方向に連設されていない。上端縁は、右端縁側から、容器側面板１９、糊代１６ｂ、糊代１６ａ、底面側面板１１、糊代２３、蓋側面版２６は、切り溝が設けられ、横方向に連設されていない構造となっている。また、下端縁は、右端縁側から、容器側面板２０、糊代１７ｂ、糊代１７ａ、底面側面板１３、糊代２４、蓋側面版２７は、切り溝が設けられ、横方向に連設されていない構造となっている。
【００３０】
「容器部」
容器部４の組み立て方法について説明する。図２の展開図について、糊代１６ａおよび糊代１７ａの反対面側に接着剤を塗布する。糊代１６ｂおよび糊代１７ｂの紙面側、反対面側の両面に接着剤を塗布する。糊代１６ｂおよび糊代１７ｂの紙面側に塗布される接着剤は、他の接着部位よりも弱いもの、特に反対面側に塗布される接着剤よりも接着力が弱いものを塗布する。後述の消費者が容器部４を解体する際に、糊代１６ｂおよび糊代１７ｂの紙面側は、底面側面板１１および底面側面板１３の反対面と剥がれるからである。
【００３１】
接着剤としては、特に限られることなく適宜選択して適用できる。例えば、アクリル系接着剤、ゴム系接着剤、シリコーン系、ウレタン接着剤等の接着剤などが挙げられる。
【００３２】
上述のように接着剤が塗布された糊代１６ａ、１６ｂおよび糊代１７ａ、１７ｂをそれぞれ容器側面板１５に対して折り目ｆ，ｇに沿って谷折りして垂直に起立させる。
【００３３】
底面側面板１１および底面側面板１３を底面板１２に対してそれぞれ折り目ａ，ｂに沿って谷折りして垂直に起立させることで容器下部４ａの概形が組み立てられる。容器側面板１９および容器側面板２０を容器上面板１８に対してそれぞれ折り目ｈ，ｉに沿って谷折りして垂直に起立させ、容器上部４ｂの概形が組み立てられる。
【００３４】
容器側面板１５を底面板１２に対して折り目ｄに沿って谷折りして垂直に起立させる。容器上面板１８を容器側面板１５対して折り目ｅに沿って谷折りして垂直に起立させる。
【００３５】
垂直に起立させた後、糊代１６ａの反対面側と底面側面板１１の紙面側、および、糊代１７ａの反対面側と底面側面板１３の紙面側とを塗布された接着剤により接着する。この接着により、底面側面板１１、底面側面板１３および容器側面板１５の垂直起立状態を維持する。
【００３６】
これと同時に、糊代１６ｂの紙面側と底面側面板１１の反対面側とを接着する。糊代１７ｂの紙面側と底面側面板１３の反対面側とを接着する。さらに糊代１６ｂの反対面側と容器側面板１９の紙面側とを接着、糊代１７ｂの反対面側と容器側面板２０の紙面側とを接着する。このようにして、図３に示される容器部４が組み立てられる。
【００３７】
容器部４には、菓子３３が内容物として収容される。菓子３３は、スティク形状やブロック形状等のチョコレートやビスケット等の菓子類などが挙げられる。菓子以外にも特に限定されることなく、収容物を収容する容器として使用でき、例えば日常品などの収容に用いると好適である。なお、本願図面では模式的に菓子３３を一つ入れた状態で示しているが、複数個の菓子３３が充填されている。
【００３８】
「蓋部」
蓋部２の組み立て方法について説明する。図２の展開図について、糊代２３および糊代２４の反対面側に接着剤を塗布する。
【００３９】
糊代２３および糊代２４をそれぞれ蓋側面板１４に対して折り目ｊ，ｋに沿って谷折りして垂直に起立させる。蓋側面板２６および蓋側面板２７を蓋上面板２５に対してそれぞれ折り目ｍ，ｎに沿って谷折りして垂直に起立させる。
【００４０】
蓋上面板２５を蓋側面板１４に対して折り目ｌに沿って谷折りして垂直に起立させる。垂直に起立させた後、糊代２３の反対面側と蓋側面板２６の紙面側、および、糊代２４の反対面側と蓋側面板２７の紙面側とを塗布された接着剤により接着する。この接着により、蓋側面板２６、蓋側面板２７および蓋上面板２５の垂直起立状態を維持する。このようにして、図３に示される蓋部２が組み立てられる。
【００４１】
「蓋の開閉方法」
紙製包装容器１の蓋部２の開閉方法について説明する。蓋部２で容器部４を閉め、図１の紙製包装容器１とするには、蓋上面板２５の先端部２２を、容器上面板１８の嵌合溝２１に挿入させる嵌合構造を形成させる（図６参照）。
【００４２】
蓋をする際には、底面側面板１１、底面側面板１１の外周面に蓋側面板２６、蓋側面板２７の内周面が重なるようにして容器部４を覆うように蓋部２を降下させる。
【００４３】
蓋部２を開け、紙製包装容器１の蓋を開く場合には、蓋上面板２５の先端部２２を容器上面板１８の嵌合溝２１から抜き出し、嵌合構造を解除する。
【００４４】
嵌合構造解除した後、先端部２２がその頂部となるように蓋部２を起立させ、直立した蓋が開かれた図３の紙製包装容器１となる。この状態で消費者は容器部４に収容された菓子３３を取り出して、食することができる。
【００４５】
「容器部の開閉方法」
図４には、容器部４が解体され、容器下部４ａと容器上部４ｂとに分けられた紙製包装容器１が示される。図３の閉められた状態の容器部４から図４の開けられた状態の容器部４とする方法について図５に基づいて説明する。図５は、容器部の開閉方法の説明図である。図５は、図１、図３、図４のＸ方向の矢視図である。図１および図３の状態の容器上部４ｂは図５の（Ａ）で示される破線図の状態に対応し、図４の状態の容器上部４ｂは図５の（Ｄ）で示される破線図の状態に対応する。
【００４６】
消費者が、図４の容器下部４ａと容器上部４ｂとに分けられた状態としたい場合、まず糊代１６ｂ、１７ｂの紙面側（内周面側）と底面側面板１１、１３の反対面側（外周面側）との接着を剥がす（図５（Ａ））。ここで糊代１６ｂ、１７ｂの紙面側の接着力は糊代１６ｂ、１７ｂの反対面側の接着力と比較して小さいので糊代１６ｂ、１７ｂの紙面側（内周面側）と底面側面板１１、１３の反対面側（外周面側）との接着のみ剥がれ、糊代１６ｂ、１７ｂの反対面側（外周面側）と容器側面板１９、２０の紙面側（内周面側）との接着は剥がれない。従って、容器上面板１８は、連設した容器側面板１９、２０を垂直起立させたトレー形状の状態を保ったまま、移動が可能となる。
【００４７】
次に容器上部４ｂを押し上げることで、底面側連設板１５ａ、上面側連設板１５ｂの境界線である折り目ｐが矢印３４で示される方向へ折り曲げられる（図５（Ｂ））。さらに容器上部４ｂを押し上げて垂直状態を経た後、容器上面板１８が下面となる方向へ押し下げる（図５（Ｃ））。それと同時にさらに折り目ｐが矢印３４で示される方向へ折り曲げられる。さらに押し下げ、容器上面板１８が底面板と略同一面上となるようまで押し下げる（図５（Ｄ））。それと同時にさらに折り目ｐが矢印３４で示される方向へ折り曲げられる。図５（Ａ）の状態から図５（Ｄ）の状態となるまで、上面側連設板１５ｂは矢印３４で示される方向へ折り目ｐを中心軸として、約１８０度回転する。これに対し、底面側連設板１５ａは図５（Ａ）の状態から図５（Ｄ）の状態となるまで、回転など全く移動せずに固定された状態のままである。
【００４８】
図５（Ｄ）のようになり、図４に示される紙製包装容器１が形成される。すなわち、容器上面板１８が底面となり、上面側連設板１５ｂが底面側連設板１５ａと対向する位置の側面となり、容器側面板１９、容器側面板２０が容器上面板１８および上面側連設板１５ｂの両側面となる略トレー形状となる容器上部４ｂが形成される。この略トレー形状は、図４に示されるように上面が開口した形状である。
【００４９】
また、容器下部４ａは、底面板１２が代わらず底面を構成し、底面側連設板１５ａが上面側連設板１５ｂと対向する位置の側面となり、底面側面板１１、底面側面板１３が底面板１２および底面側連設板１５ａの両側面となる略トレー形状となる容器下部４ａとして形成される。この略トレー形状は、図４に示されるように上面が開口した形状である。図５（Ｄ）のようになると、容器下部４ａは、容器上部４ｂの容器上面板１８が取り除かれたことになり、覆っていた容器上面板１８が上面から排除された分、容器下部４ａ自体も上方への開口度合いが大幅に向上する。
【００５０】
消費者は、菓子３３を容器下部４ａの開口度合いが向上させられた取り出し口から取り出すことができるようになる。また、菓子３３を容器上部４ｂの内部へ移動させることで容器上部４ｂの上方開口口も菓子３３の取り出し口として利用できることになる。したがって、紙製包装容器１の内容物である菓子３３を取り出すのに十分なスペースの取り出し口を確保しやすくなる。
【００５１】
また、本実施形態では、容器上部４ａに容器側面板１９、容器側面板２０が設けられているので、側面板１９、２０が移動させられた菓子３３が容器外へ移動することを防止することができる。このように側面板１９、２０は設けられていると好適であるが、設けなくてもよい。また、両側面側に側面板があるとより好適であるが、一方側だけに備えても好適である。
【００５２】
次に、図４に示される容器下部４ａと容器上部４ｂに分けられた状態（図５（Ｄ））から、再び図３に示される状態（図５（Ａ））にして容器下部４ａと容器上部４ｂとを再び合わせて閉める方法について図５に基づいて説明する。
【００５３】
消費者が容器下部４ａと容器上部４ｂとを再び合わせて閉めることを希望する場合には、容器上部４ｂ中にある菓子３３を容器下部４ａ中へと全て移動させ、空の状態とする。
【００５４】
空の状態とした後、図５（Ｄ）の状態から容器上部４ｂを押し上げることで、底面側連設板１５ａ、上面側連設板１５ｂの境界線である折り目ｐが矢印３４で示される方向の逆方向へ折り曲げられる（図５（Ｃ））。さらに容器上部４ｂを押し上げて垂直状態を経た後、容器上面板１８が再び上面となる方向へ押し下げる（図５（Ｂ））。それと同時にさらに折り目ｐが矢印３４で示される方向の逆方向へ折り曲げられる。さらに押し下げ、容器上面板１８が容器下部４ａを覆うまで押し下げる（図５（Ａ））。それと同時にさらに折り目ｐが矢印３４で示される方向の逆方向へ折り曲げられる。図５（Ｄ）の状態から図５（Ａ）の状態となるまで、上面側連設板１５ｂは矢印３４で示される方向の逆方向へ折り目ｐを中心軸として、約１８０度回転し、再び底面連設板１５ａの略同一面上に至る。これに対し、底面側連設板１５ａは図５（Ｄ）の状態から図５（Ａ）の状態となるまで、回転など全く移動せずに固定された状態のままである。このようにして、容器下部４ａと容器上部４ｂとを再び合わせて閉められた図３に示される状態に再びなる。
【００５５】
図３の状態となった後、容器上面板１８に形成された嵌合溝２１中に、上述のように蓋部２の先端部２２を挿入して嵌合構造（断面図：図６）とすることで、蓋をして再び図１に示される紙製包装容器１となる。
【００５６】
この時、解体時に、糊代１６ｂ、１７ｂの紙面側（内周面側）と底面側面板１１、１３の反対面側（外周面側）との接着が剥がされているので、粘着テープなどで容器側面板１９、容器側面板２０の一端と底面板１２の一端とをとめることで容器形状が壊れないように補強すると好適である。
【００５７】
本実施形態では、容器上部４ｂ、容器下部４ａともに側面板を有しているが、紙製包装容器１を構成する六面を形成する限度内で、側面板を省略してもよい。例えば、容器上部４ｂは、容器上面板１８および上面連設板１５ｂのみを有する構造であってもよい。また、容器下部４ａは、同様に、底面板１２および底面連設板１５ａのみを有する構造であってもよいが、容器上部４ｂ、容器下部４ａともに側面板を有すると好適である。側面板を両側に有するとさらに好適である。
【００５８】
また、本実施形態の折り目ｐに代えて、一般的な折り曲げ可能な構造を用いることができる。折り曲げ可能構造は、本実施形態において、好適であるので連設板１５を二分するラインに設けられるがこれに限られることがない。例えば、さらに上面側に設けてもよく、底面側に設けてもよい。さらには、上面および底面と平行に設けられなくともよく、適宜選択して設けることができるが、例えば斜め方向に設けられてもよい。
【００５９】
本実施形態では、容器部４の解体時に、折り目ｐを介して容器上部４ｂと容器下部４ａとが連設されている構造となっているがこれに限定されない。折り目ｐを切断面として、容器上部４ｂと容器下部４ａとに切り離して用いることができる。上述のように切り離した容器上部４ｂを再び容器下部４ａ上に覆い、容器部４を再形成させることができることも同様である。
【００６０】
本実施形態では、糊代１６、糊代１７によって側面板が支えられているので好適であるが、糊代１６、糊代１７を有しなくとも、側面板を支えることができればよい。また、本実施形態では、上面、底面に対して側面の面積が小さいが、これに限られず、側面の面積の方が大きくともよい。また、本実施形態では、連設板１５と上面板および底面板の間が直接連設されているがこれに限られず、それぞれ間に他の板を入れてもよい。本実施形態では、蓋を有する包装容器を好適例として用いたが、蓋を用いない包装容器であってもよい。
【００６１】
本実施形態では、包装容器は、好適なものとして略直方体形状となっているが、これに限られるものではない。好適な略立方体形状は勿論、六面体が好適である。さらに、他の三次元立体、例えば、三角柱状形状、八面体など多面体、底面板および上面板が矩形、台形、四角形、五角形、六角形、八角形、十角形の紙製包装容器にも適用できる。本実施形態では側面は上面、底面よりも低面積であるがこれに限られず、上面、底面よりも大面積であってもよい。
【００６２】
本実施形態では、紙製包装容器を例示したが紙製に限定されるものではない。紙を用いる場合は、例えば、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。また、プラスチック材、木材、などの異なる材料から包装容器が作製されてもよい。
【００６３】
プラスチック材であれば、熱可塑性樹脂、熱硬化性樹脂、生分解性プラスチック一般（例えばポリ乳酸を含有するプラスチック）、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルム、コンデンサー紙、パラフィン紙、不織布、アルミニウム箔や、これらを複合したフィルムを用いてもよい。
【図面の簡単な説明】
【００６４】
【図１】本実施形態における包装容器を示す斜視図である。
【図２】本実施形態における包装容器の展開図である。
【図３】本実施形態における包装容器の蓋の開閉を示す斜視図である。
【図４】本実施形態における包装容器における容器部の開閉の説明図である。
【図５】本実施形態における包装容器における容器部の開閉の説明図である。
【図６】本実施形態における包装容器における断面図である。
【符号の説明】
【００６５】
１  包装容器
２  蓋部
４  容器部
１２  底面板
１５  連設板
１８  容器上面板
【図１】
2007008572.tif 000003
【図２】
2007008572.tif 000004
【図３】
2007008572.tif 000005
【図４】
2007008572.tif 000006
【図５】
2007008572.tif 000007
【図６】
2007008572.tif 000008